(57)【要約】【課題】屋根上で、被運搬物を移動できるコンパクトで、低コストかつ簡易に組み立て製造することができる屋根上運搬機を提供する。【解決手段】本発明は、上記課題を解決するために、屋根上で被運搬物を設置場所に運搬するために用いられる屋根上運搬機であって、屋根材の上を押されて滑って移動するソリ部と、前記ソリ部に回動可能に連結され一端に左右ハンドル枠を備えるフレーム部と、前記フレーム部の他端に着脱可能に吊され被運搬物を着脱可能に挟持する係止部と、からなることを特徴とする屋根上運搬機の構成とした。【選択図】図１
2015209732.tif 000002
【特許請求の範囲】
【請求項１】
屋根上で被運搬物を設置場所に運搬するために用いられる屋根上運搬機であって、
屋根材の上を押されて滑って移動するソリ部と、
前記ソリ部に回動可能に連結され一端に左右ハンドル枠を備えるフレーム部と、
前記フレーム部の他端に着脱可能に吊され被運搬物を着脱可能に挟持する係止部と、
からなることを特徴とする屋根上運搬機。
【請求項２】
前記ソリ部が、平行に配置された二本の棒材で、かつ前記棒材の両端が上方に湾曲して反り返っていることを特徴とする請求項１に記載の屋根上運搬機。
【請求項３】
前記フレーム部が、
前記ソリ部の左右に固定された左右側板に挿通する軸と、
前記軸に回動可能に接続するコの字状の枠と、
斜め上に向け一端が前記枠に固定され他端は人が把持する部分となる左ハンドル枠と、
斜め上に向け一端が前記枠に固定され他端は人が把持する部分となる右ハンドル枠と、
反左ハンドル枠方向の斜め上に向け一端が前記枠に固定される左フロントアームと、
反右ハンドル枠方向の斜め上に向け一端が前記枠に固定される右フロントアームと、
前記左右フロントアームの他端部で連結する前連結材と、
とからなることを特徴とする請求項１又は請求項２に記載の屋根上運搬機。
【請求項４】
前記フレームの先端にカギ部を備え、前記カギ部に前記係止部を着脱可能に係止することを特徴とする請求項１〜請求項３のいずれか１項に記載の屋根上運搬機。
【請求項５】
前記係止部が、
前記フレームに着脱可能に吊されるバーと、
前記バーの両端部において前後に向け回動可能に連結する左前後開閉棒及び右前後開閉棒と、
前記左前後開閉棒に回動可能に連結する左前後回動板と、
前記右前後開閉棒に回動可能に連結する右前後回動板と、
前記左前記回動板の他端部に回動可能に連結する左水平棒と、
前記右前後回動板の他端部に回動可能に連結する右水平棒と、
前記左右前開閉棒の先端部に固定され折板屋根材の凸部の外側に係止される前鈎部と、
前記左右後開閉棒の先端部に固定され折板屋根材のコの字部の外側に係止される後鈎部と、前記前後鈎部に渡され前記前後鈎部を近づける方向にバネ付勢を掛けるバネと、
前記左右水平棒の先端側底部に固定され折板屋根材の前記凸部の内側に先端部が当接する前プレートと、
前記左右水平棒の反先端側底部に固定され折板屋根材の前記コの字部の内側に先端部が当接する後プレートと、
からなることを特徴とする請求項１〜請求項４のいずれか１項に記載の屋根上運搬機。
【請求項６】
前記被運搬物が、屋根材又はソーラーパネルであることを特徴とする請求項１〜請求項５のいずれか１項に記載の屋根上運搬機。
【請求項７】
前記ソリ部を、電気駆動式のキャタピラとしたことを特徴とする請求項１〜請求項６のいずれか１項に記載の屋根上運搬機。
【請求項８】
請求項１〜請求項７のいずれか１項に記載の屋根上運搬機を長尺屋根材の長さ及び重量に応じて複数台用いて屋根上で前記長尺屋根材を設置場所に運搬する屋根材運搬方法であって、
前記長尺屋根材の複数箇所を前記係止部でそれぞれ挟持し、前記係止部を前記フレーム部にそれぞれ吊し、前記左右ハンドル枠を押し下げつつ、
前記屋根上運搬機を押すことで前記ソリ部が屋根上を滑りながら前記屋根上運搬機を設置場所まで移動させ、
又は、前記キャタピラの回転で前記屋根上運搬機を設置場所まで移動して、
前記長尺屋根材の設置場所で前記フレーム部を回動させ前記長尺屋根材を前記長尺屋根材の設置場所に降ろし、前記係止部による前記長尺屋根材の挟持を解除して前記長尺屋根材を設置場所に設置することを特徴とする屋根材運搬方法。
【発明の詳細な説明】
【技術分野】
【０００１】
本発明は、屋根上において、屋根材等を設置場所まで運搬する屋根上運搬機に関する。
【背景技術】
【０００２】
長尺の屋根材、例えば、折板屋根材５ａは、図６（ａ）に示すように、下に凸の谷部５ｄと、谷部５ｄの前後に連設した板が上方に折れ曲がって立ち上がり、さらに水平に屈曲し、その前端部には凸部５ｂが、後端部には内側が開口したコの字部５ｃが形成されている。
【０００３】
そして、図６（ｂ）に示すように、コの字部５ｃに凸部５ｂが覆い重なり、重合部５ｅを形成し、折板屋根材５ａが連結し、重合部５ｅを留具（図示省略）で骨組み、梁などに固定し、折板屋根５が形成される。
【０００４】
従来、折板屋根材５ａなどの長尺の屋根材は、屋根上にリフトされた後、人が屋根材を抱えて屋根上を歩いて設置場所まで運搬していた。そして、その運搬作業は、危険かつ重労働であった。
【０００５】
他方、折板製の屋根材の運搬装置として、特許文献１が公開されている。特許文献１に記載の折板搬送装置は、長尺物である折板製の屋根板の運搬、引き渡し作業を機械的に、安全にかつ能率よく行うことができ、しかも簡便に設置して使用でき、使用後は簡単に撤去し、各部材の保管にも便利な屋根工事用の折板搬送装置であって、複数台で一対をなし、かつ持ち運び可能な支台１０，１１と、前記一対の支台１０，１１間に着脱自在に架設されたレール１９と、このレール１９に走行可能に装着された走行体２２と、この走行体に取り付けられた吊り下げ装置２８とを備えていることを特徴とするというものである。
【０００６】
しかしながら、特許文献１の折板搬送装置は、屋根板の運搬、引き渡し作業を機械的に、安全かつ能率よく行うことができ、しかも簡便に設置でき、使用後は簡単に撤去できるとはいえ、大掛かりな装置であることに変わりなく、装置の設置が煩雑の上、製造コストも高い。
【先行技術文献】
【特許文献】
【０００７】
【特許文献１】特開平０７−２３３６０８号公報
【発明の概要】
【発明が解決しようとする課題】
【０００８】
そこで、本発明は、屋根上で、被運搬物を移動できるコンパクトで、低コストかつ簡易に組み立て製造することができる屋根上運搬機を提供することを目的とする。
【課題を解決するための手段】
【０００９】
本発明は、上記の課題を解決するために、
（１）
屋根上で被運搬物を設置場所に運搬するために用いられる屋根上運搬機であって、
屋根材の上を押されて滑って移動するソリ部と、
前記ソリ部に回動可能に連結され一端に左右ハンドル枠を備えるフレーム部と、
前記フレーム部の他端に着脱可能に吊され被運搬物を着脱可能に挟持する係止部と、
からなることを特徴とする屋根上運搬機。
（２）
前記ソリ部が、平行に配置された二本の棒材で、かつ前記棒材の両端が上方に湾曲して反り返っていることを特徴とする（１）に記載の屋根上運搬機。
（３）
前記フレーム部が、
前記ソリ部の左右に固定された左右側板に挿通する軸と、
前記軸に回動可能に接続するコの字状の枠と、
斜め上に向け一端が前記枠に固定され他端は人が把持する部分となる左ハンドル枠と、
斜め上に向け一端が前記枠に固定され他端は人が把持する部分となる右ハンドル枠と、
反左ハンドル枠方向の斜め上に向け一端が前記枠に固定される左フロントアームと、
反右ハンドル枠方向の斜め上に向け一端が前記枠に固定される右フロントアームと、
前記左右フロントアームの他端部で連結する前連結材と、
とからなることを特徴とする（１）又は（２）に記載の屋根上運搬機。
（４）
前記フレームの先端にカギ部を備え、前記カギ部に前記係止部を着脱可能に係止することを特徴とする請求項１〜請求項３のいずれか１項に記載の屋根上運搬機。
（５）
前記係止部が、
前記フレームに着脱可能に吊されるバーと、
前記バーの両端部において前後に向け回動可能に連結する左前後開閉棒及び右前後開閉棒と、
前記左前後開閉棒に回動可能に連結する左前後回動板と、
前記右前後開閉棒に回動可能に連結する右前後回動板と、
前記左前記回動板の他端部に回動可能に連結する左水平棒と、
前記右前後回動板の他端部に回動可能に連結する右水平棒と、
前記左右前開閉棒の先端部に固定され折板屋根材の凸部の外側に係止される前鈎部と、
前記左右後開閉棒の先端部に固定され折板屋根材のコの字部の外側に係止される後鈎部と、前記前後鈎部に渡され前記前後鈎部を近づける方向にバネ付勢を掛けるバネと、
前記左右水平棒の先端側底部に固定され折板屋根材の前記凸部の内側に先端部が当接する前プレートと、
前記左右水平棒の反先端側底部に固定され折板屋根材の前記コの字部の内側に先端部が当接する後プレートと、
からなることを特徴とする（１）〜（４）のいずれかに記載の屋根上運搬機。
（６）
前記被運搬物が、屋根材又はソーラーパネルであることを特徴とする（１）〜（５）のいずれかに記載の屋根上運搬機。
（７）
前記ソリ部を、電気駆動式のキャタピラとしたことを特徴とする（１）〜（６）のいずれかに記載の屋根上運搬機。
（８）
（１）〜（７）のいずれかに記載の屋根上運搬機を長尺屋根材の長さ及び重量に応じて複数台用いて屋根上で前記長尺屋根材を設置場所に運搬する屋根材運搬方法であって、
前記長尺屋根材の複数箇所を前記係止部でそれぞれ挟持し、前記係止部を前記フレーム部にそれぞれ吊し、前記左右ハンドル枠を押し下げつつ、
前記屋根上運搬機を押すことで前記ソリ部が屋根上を滑りながら前記屋根上運搬機を設置場所まで移動させ、
又は、前記キャタピラの回転で前記屋根上運搬機を設置場所まで移動して、
前記長尺屋根材の設置場所で前記フレーム部を回動させ前記長尺屋根材を前記長尺屋根材の設置場所に降ろし、前記係止部による前記長尺屋根材の挟持を解除して前記長尺屋根材を設置場所に設置することを特徴とする屋根材運搬方法。
とした。
【発明の効果】
【００１０】
本発明は、上記構成であるので、コンパクトで、低コストかつ簡易に製造することができる。特に、長尺屋根材、例えば、金属製の折板屋根材、ガルバニウム鋼板屋根材、金属瓦棒葺屋根材を、略平坦な屋根上で、それら屋根材の運搬に最適である。さらには、ソーラーパネルなども運搬できる。その結果、施工時間の短縮になり、施工コストを安くすることができる。
【００１１】
また、ソリ部を、電気駆動式のキャタピラに置換することで、屋根材の運搬作業が一層楽な上、傾斜がある屋根上であっても屋根の傾斜にそってソリ部が流れ落ちていくことなく、屋根材を運搬することができる。
【図面の簡単な説明】
【００１２】
【図１】本発明である屋根上運搬機の一例の斜視模式図である。
【図２】本発明である屋根上運搬機の係止部をリフトした斜視図模式である。
【図３】本発明である屋根上運搬機の係止部の動作を説明する斜視模式図である。
【図４】本発明である屋根上運搬機の係止部で屋根材を挟持したときの斜視模式図である。
【図５】本発明である屋根上運搬機の屋根上での使用状態を説明する模式図である。
【図６】屋根材、及び屋根材を重合組立したときの斜視模式図である。
【図７】本発明である屋根上運搬機の他（キャタピラ移動式）の斜視模式図である。
【図８】キャタピラ部の動作、固定についての説明図である。
【発明を実施するための形態】
【００１３】
以下、添付の図面を参照し、本発明の実施の形態について、詳細に説明する。なお、本発明は下記実施例に限定されるものではない。
【実施例１】
【００１４】
図１−図５に示すように、本発明の一例である屋根上運搬機１は、ソリ部２と、フレーム部３と、係止部４とからなり、屋根上で被運搬物を設置場所に安全かつ効率的さらに簡単に運搬することができる。
【００１５】
ソリ部２は、棒状で略平行に配置された左右ソリ部２ｍ、２ｎと、左右ソリ部２ｍ、２ｎを連結する複数の棒とかなり、屋根材の上を押されて滑って移動する。複数本の棒は、ここでは、一例として、前棒２ｃ、２本の中棒２ｅ、２ｆ、後棒２ｄの４本とした。
【００１６】
左ソリ部２ｍは、前端部２ｈ及び後端部２ｉが上方に湾曲して反った左棒２ａと、左棒２ａの底に配置された摩擦係数の低い底材２ｇと、左棒２ａの中央部から起立した左側板２ｊとからなる。
【００１７】
右ソリ部２ｎは、前端部２ｈ及び後端部２ｉが上方に湾曲して反り返った右棒２ｂと、右棒２ｂの底に配置された摩擦係数の低い底材２ｇと、左棒２ａの中央部から起立した右側板２ｋとからなる。
【００１８】
底材２ｇとしては、ポリテトラフルオロエチレンなどが例示でき、ボルト等で左右棒２ａ、２ｂに固定される。ソリ部２の左右側板２ｊ、２ｋに、フレーム部３が回動（一点鎖線両矢印）可能に連結する。
【００１９】
ソリ部２が棒材であれば、軽い上、折板屋根５など、溝（谷部５５ｄ）があっても、スムーズに屋根上を滑って移動することができる。また、屋根表面との接地面積が少ないので、押すときの抵抗も少なく、押し作業が容易である。
【００２０】
フレーム部３は、左右側板２ｊ、２ｋに挿通する軸３ａと、軸３ａに回動可能に接続するコの字状の枠３ｂと、斜め上に向け一端が枠３ｂに固定され他端は人が把持する部分となる左ハンドル枠３ｃと、斜め上に向け一端が枠３ｂに固定され他端は人が把持する部分となる右ハンドル枠３ｄと、左右ハンドル枠３ｃ、３ｄを連結する後連結材３ｅと、反左ハンドル枠３ｃ方向の斜め上に向け一端が枠３ｂに固定される左フロントアーム３ｊと、反右ハンドル枠３ｄ方向の斜め上に向け一端が枠３ｂに固定される右フロントアーム３ｋと、左右フロントアーム３ｊ、３ｋの他端部で連結する前連結材３ｐと、左右フロントアーム３ｊ、３ｋを中程で連結する中連結材３ｓと、左ハンドル枠３ｃの端部側と左フロントアーム３ｊの先端部とを連結する左補強材３ｆと、右ハンドル枠３ｄの端部側と右フロントアーム３ｋの先端部とを連結する右補強材３ｇと、前連結材３ｐに固定され係止部４を係止する左右カギ部３ｑ、３ｒとからなる。
【００２１】
左右ハンドル枠３ｃ、３ｄの端部は、水平方向に屈曲し、把持、操作しやすくしている。左右ハンドル枠３ｃ、３ｄを上下させると、軸３ａを支点に、フレーム部３はシーソーのように回動し（図１、図２）、係止部４を上下させることができる。フレーム部３の先端に左右カギ部３ｑ、３ｒを備えれば、係止部４の係止が極めて容易である上、係止安定性が高い。
【００２２】
フレーム部３の強度をさらに高めるために、左右補強材３ｆ、３ｇは、枠３ｂに固定するとよい。さらに、左右ハンドル枠３ｃ、３ｄ及び左右フロントアーム３ｊ、３ｋと、左右補強材３ｆ、３ｇとを連結する左右第二連結材３ｈ、３ｉを設けると望ましい。左右第二連結材３ｈ、３ｉは、１本の線状金属棒を屈曲させ、図１、２に示すよう、三角形状とし、３点で溶接するとよい。加えて、枠３ｂと左フロントアーム３ｊに筋交いとして左第三補強材３ｍ、枠３ｂと右フロントアーム３ｋとに筋交いとして右第三補強材３ｎを設けるとよい。
【００２３】
枠３ｂに、左右ハンドル枠３ｃ、３ｄ、左右フロントアーム３ｊ、３ｋ、左右補強材３ｆ、３ｇを固定することで、フレーム部３は下に凸の三角形状となり、軽量な上に、加重に対する強度が保てる。左右第三補強材３ｍ、３ｎは、フレーム部３の先端部に被運搬物が係止されるため、被運搬物の加重に対して左右フロントアーム３ｊ、３ｋの補強となる。
【００２４】
このように、金属棒状或いはパイプをフレーム、アーム、枠として採用し、各種補強材を設けることで、強度を高め、軽く、高所へのリフト、作業に向いている。
【００２５】
係止部４は、図３、４に示すように、左右カギ部３ｑ、３ｒに着脱可能に吊されるバー４ａと、バー４ａの両端部において前後に向けそれぞれネジ４ｓで回動可能に連結する左前後開閉棒４ｂ、４ｃ及び右前後開閉棒４ｄ、４ｅと、左前後開閉棒４ｂ、４ｃに回動可能に連結する左前後回動板４ｉ、４ｊと、右前後開閉棒４ｄ、４ｅに回動可能に連結する右前後回動板４ｋ、４ｍと、左前後回動板４ｉ、４ｊの他端部に回動可能に連結する左水平棒４ｎと、右前後回動板４ｋ、４ｍの他端部に回動可能に連結する右水平棒４ｐと、左右前開閉棒４ｂ、４ｄの先端部に固定され折板屋根材５ａの凸部５ｂの外側に係止される前鈎部４ｆと、左右後開閉棒４ｃ、４ｅの先端部に固定され折板屋根材５ａのコの字部５ｃの外側に係止される後鈎部４ｇと、前後鈎部４ｆ、４ｇに渡され前後鈎部４ｆ、４ｇを近づける方向にバネ付勢を掛けるバネ４ｈと、左右水平棒４ｎ、４ｐの先端側底部に固定され折板屋根材５ａの凸部５ｂの内側に先端部が当接する前プレート４ｑと、左右水平棒４ｎ、４ｐの反先端側底部に固定され折板屋根材５ａのコの字部５ｃの内側に先端部が当接する後プレート４ｒとからなる。
【００２６】
係止部４の前後鈎部４ｆ、４ｇは、バネ４ｈの収縮力で通常は、図３（ａ）の状態であるが、被運搬物を挟持する場合には、図３（ｂ）に示すように、前後鈎部４ｆ、４ｇを開き、前鈎部４ｆと前プレート４ｑとの間に前スペース４ｔ、後鈎部４ｇと後プレート４ｒとの間に後スペース４ｕを形成し、バネ４ｈの収縮力で、被運搬物を挟持する。図４には、折板屋根材５ａの凸部５ｂ及びコの字部５ｃを挟持する例を示した。
【００２７】
前後鈎部４ｆ、４ｇを開く場合には、図３（ｂ）に示すように、左右前後開閉棒４ｂ、４ｃ、４ｄ、４ｅ、左右前後回動板４ｉ、４ｊ、４ｋ、４ｍ、左右水平棒４ｎ、４ｐが回動するとともに、バネ４ｈが伸張し、前後スペース４ｔ、４ｕが形成される。このように、バネ４ｈで挟持する方法であれば、折板屋根材５ａの着脱が容易な上、挟持安定性がよい。
【００２８】
長尺屋根材である折板屋根材５ａなどを運搬するに際しては、長尺屋根材の長さ及び重量に応じて複数台の屋根上運搬機１を用いる。例えばの屋根上運搬機１を２台のときは、図５に示すように、折板屋根材５ａの２箇所を２第の係止部４の前後鈎部４ｆ、４ｇ及び前後プレート４ｑ、４ｒでそれぞれ挟持し、係止部４のバー４ａでフレーム部３の左右カギ部３ｑ、３ｒにそれぞれ吊し、作業者６、６ａが左右ハンドル枠３ｃ、３ｄを押し下げつつ、屋根上運搬機１、１を作業者６、６ａが目的場所に向けそれぞれ押すことで、ソリ部２が折板屋根５の上を滑りながら屋根上運搬機１、１を設置場所まで移動させ、折板屋根材５ａの設置場所で左右ハンドル枠３ｃ、３ｄを持ち上げ、フレーム部３を回動させ、折板屋根材５ａを設置場所に降ろし、係止部４による折板屋根材５ａの挟持を解除して、折板屋根材５ａを設置場所に設置する。このようにすることで、長尺屋根の係止安定性が高い上、運搬、設置が容易で、かつ安全に施工することができる。
【実施例２】
【００２９】
図７、８に示すように、屋根上運搬機１１は、実施例１の屋根上運搬機１のソリ部２を、電気駆動式のキャタピラ部１２に置換し、キャタピラ部１２の駆動を制御する左右操作部１３ａ、１３ｂを設けたものである。
【００３０】
キャタピラ部１２は、一例として、台１２ａと、台１２ａに載置される軸１２ｄを備える前モータ１２ｂ及び後モータ１２ｃと、前後モータ１２ｂ、１２ｃにリード線１２ｑを介して駆動電力を供給するバッテリ１２ｐと、台１２ａの左側面に配置され前モータ１２ｂの軸１２ｄの回転で回転する左チェーン１２ｅと、左チェーン１２ｅに歯車１２ｆ及び軸１２ｈを介して接続し左チェーン１２ｅの回転に伴って回転する歯車１２ｇにより回転する左キャタピラ１２ｉと、台１２ａの右側面に配置され後モータ１２ｃの軸１２ｄの回転で回転する右チェーン１２ｋと、右チェーン１２ｋに歯車１２ｆ及び軸１２ｍを介して接続し右チェーン１２ｋの回転に伴って回転する歯車１２ｇにより回転する右キャタピラ１２ｎとからなる。
【００３１】
左右操作部１３ａ、１３ｂは、左右ハンドル枠３ｃ、３ｄの端部に設けられ、それぞれ配線１３ｃ、１３ｄで、前後モータ１２ｂ、１２ｃに接続され、前後モータ１２ｂ、１２ｃの回転を作業者６、６ａが制御する。
【００３２】
このような屋根上運搬機１１であれば、被運搬物の屋根上での運搬がより楽な上、傾斜がある屋根であっても屋根の傾斜にそって屋根上運搬機１１が流れ落ちていくことなく、屋根材を屋根上で安全に運搬することができる。
【符号の説明】
【００３３】
１      屋根上運搬機
２      ソリ部
２ａ    左棒
２ｂ    右棒
２ｃ    前棒
２ｄ    後棒
２ｅ    中前棒
２ｆ    中後棒
２ｇ    底材
２ｈ    前端部
２ｉ    後端部
２ｊ    左側板
２ｋ    右側板
２ｍ    左ソリ部
２ｎ    右ソリ部
３      フレーム部
３ａ    軸
３ｂ    枠
３ｃ    左ハンドル枠
３ｄ    右ハンドル枠
３ｅ    後連結材
３ｆ    左補強材
３ｇ    右補強材
３ｈ    左第二補強材
３ｉ    右第二補強材
３ｊ    左フロントアーム
３ｋ    右フロントアーム
３ｍ    左第三補強材
３ｎ    右第三補強材
３ｐ    前連結材
３ｑ    左カギ部
３ｒ    右カギ部
３ｓ    中連結材
４      係止部
４ａ    バー
４ｂ    左前開閉棒
４ｃ    左後開閉棒
４ｄ    右前開閉棒
４ｅ    右後開閉棒
４ｆ    前鈎部
４ｇ    後鈎部
４ｈ    バネ
４ｉ    左前回動板
４ｊ    左後回動板
４ｋ    右前回動板
４ｍ    右後回動板
４ｎ    左水平棒
４ｐ    右水平棒
４ｑ    前プレート
４ｒ    後プレート
４ｓ    ネジ
４ｔ    前スペース
４ｕ    後スペース
５      折板屋根
５ａ    折板屋根材
５ｂ    凸部
５ｃ    コの字部
５ｄ    谷部
５ｅ    重合部
６      作業者
６ａ    作業者    
１１    屋根上運搬機
１２    キャタピラ部
１２ａ  台
１２ｂ  前モータ
１２ｃ  後モータ
１２ｄ  軸
１２ｅ  左チェーン
１２ｆ  歯車
１２ｇ  歯車
１２ｈ  軸
１２ｉ  左キャタピラ
１２ｋ  右チェーン
１２ｍ  軸
１２ｎ  右キャタピラ
１２ｐ  バッテリ
１２ｑ  リード線
１３ａ  左操作部
１３ｂ  右操作部
１３ｃ  配線
１３ｄ  配線
【図１】
2015209732.tif 000003
【図２】
2015209732.tif 000004
【図３】
2015209732.tif 000005
【図４】
2015209732.tif 000006
【図５】
2015209732.tif 000007
【図６】
2015209732.tif 000008
【図７】
2015209732.tif 000009
【図８】
2015209732.tif 000010